(57)【要約】  通信装置および方法が提供される。通信装置は、データが送信される複数の目標受信機のそれぞれの優先度を決定し、少なくとも、優先度が最も高いまたは電力閾値よりも高い特定の目標受信機に関係付けられる電力損失特徴に従って、データを送信するための電力を割り当てるように動作可能な回路と、割り当てられている電力を用いて、複数の目標受信機にデータを送信するように動作可能な送信機とを備える。【選択図】図１０
2020526949.tif 000002
【特許請求の範囲】
【請求項１】
データの送信先である複数の目標受信機のそれぞれの優先度を決定し、少なくとも、前記優先度が最も高いまたは電力閾値よりも高い特定の目標受信機に関係付けられる電力損失特徴に従って、前記データを送信するための電力を割り当てるように動作可能な回路と、
前記割り当てられている電力を用いて、前記複数の目標受信機に前記データを送信するように動作可能な送信機と、
を備える通信装置。
【請求項２】
前記回路は、それぞれの前記目標受信機への前記データの送信に関する電力スペクトル密度（ＰＳＤ）を推定し、前記推定ＰＳＤ間の推定ＰＳＤ差を計算するように動作可能であり、
前記回路は、前記計算されている推定ＰＳＤ差のうちの少なくとも１つがＰＳＤ閾値よりも大きいことに応答して前記複数の目標受信機のそれぞれの優先度の決定を開始するように動作可能である、
請求項１に記載の通信装置。
【請求項３】
前記回路は、前記通信装置と前記それぞれの目標受信機との間の距離の差のうちの少なくとも１つが距離差閾値よりも大きいことに応答して前記複数の目標受信機のそれぞれの優先度の決定を開始するように動作可能である、
請求項１に記載の通信装置。
【請求項４】
前記ＰＳＤ閾値または前記距離差閾値は、前記通信装置の電力割り当て容量に基づいて構成または事前構成または定義される、
請求項２または３に記載の通信装置。
【請求項５】
前記回路が、
前記目標受信機の前記推定ＰＳＤに応じて前記目標受信機の前記優先度を決定するように動作可能である、
請求項２に記載の通信装置。
【請求項６】
前記回路が、
前記通信装置と前記目標受信機との間の距離に応じて前記目標受信機の前記優先度を決定するように動作可能である、
請求項３に記載の通信装置。
【請求項７】
前記回路が、
前記目標受信機に送信される前記データのＱｏＳ関連優先度に応じて前記目標受信機の前記優先度を決定するように動作可能である、
請求項１に記載の通信装置。
【請求項８】
前記回路は、基地局に関係付けられる電力損失特徴によって計算される電力制限よりも低い、前記データを送信するための合計電力を割り当てるように動作可能である、
請求項１に記載の通信装置。
【請求項９】
前記特定の目標受信機に関係付けられる前記電力損失特徴は、前記通信装置と、前記特定の目標受信機との間の経路上の電力消費を示す経路損失を含み、前記基地局に関係付けられる前記電力損失特徴は、前記基地局と前記通信装置との間の経路上の電力消費を示す経路損失を含む、
請求項８に記載の通信装置。
【請求項１０】
リソースブロックは、サブフレームごとに、前記目標受信機に送信される前記データに配分される、
請求項１に記載の通信装置。
【請求項１１】
前記通信装置は中継ユーザ機器（ＵＥ）であり、前記目標受信機は、遠隔ＵＥおよび基地局の少なくともいくつかである、
請求項１に記載の通信装置。
【請求項１２】
前記通信装置は、中継ＵＥが前記目標受信機に前記データを送信するための電力を割り当てるための基地局であり、前記目標受信機は、遠隔ＵＥおよび基地局の少なくともいくつかである、
請求項１に記載の通信装置。
【請求項１３】
通信装置における電力制御方法であって、
データの送信先である複数の目標受信機のそれぞれの優先度を決定するステップと、
少なくとも、前記優先度が最も高いまたは電力閾値よりも高い特定の目標受信機に関係付けられる電力損失特徴に従って、前記データを送信するための電力を割り当てるステップと、
前記割り当てられている電力を用いて、前記複数の目標受信機に前記データを送信するステップと、
を含む方法。
【請求項１４】
前記方法は、
それぞれの前記目標受信機への前記データの送信に関する電力スペクトル密度（ＰＳＤ）を推定するステップと、
推定されたＰＳＤの間のＰＳＤ差を推定するステップと、
をさらに含み、
前記複数の目標受信機のそれぞれの優先度を決定する前記ステップは、推定されたＰＳＤ差のうちの少なくとも１つがＰＳＤ閾値よりも大きいことに応答して開始される、
請求項１３に記載の方法。
【請求項１５】
前記複数の目標受信機のそれぞれの優先度を決定する前記ステップは、前記通信装置と前記それぞれの目標受信機との間の距離の差のうちの少なくとも１つが距離差閾値よりも大きいことに応答して開始される、
請求項１３に記載の方法。
【請求項１６】
複数の目標受信機のそれぞれの優先度を決定する前記ステップは、
前記目標受信機の前記推定ＰＳＤに応じて前記目標受信機の前記優先度を決定するステップを含む、
請求項１４に記載の方法。
【請求項１７】
複数の目標受信機のそれぞれの優先度を決定する前記ステップは、
前記通信装置と前記目標受信機との間の距離に応じて前記目標受信機の前記優先度を決定するステップを含む、
請求項１５に記載の方法。
【請求項１８】
複数の目標受信機のそれぞれの優先度を決定する前記ステップは、
前記目標受信機に送信される前記データのＱｏＳ関連優先度に応じて前記目標受信機の前記優先度を決定するステップを含む、
請求項１３に記載の方法。
【請求項１９】
前記方法は、
基地局に関係付けられる電力損失特徴によって計算される電力制限よりも低い、前記データを送信するための合計電力を割り当てるステップをさらに含む、
請求項１３に記載の方法。
【請求項２０】
通信装置であって、
送信機からある電力を用いて送信されるデータを受信するように動作可能な受信機と、
受信されたデータを復号するように動作可能な回路と、
を備え、
前記通信装置は、前記送信機からのデータの送信先である複数の目標受信機のうちの１つであり、前記受信機のそれぞれの優先度は前記送信機によって決定され、前記電力は、少なくとも、前記優先度が最も高いまたは電力閾値よりも高い特定の目標受信機に関係付けられる電力損失特徴に従って割り当てられる、
通信装置。
【発明の詳細な説明】
【技術分野】
【０００１】
本発明の技術は、ワイヤレス通信の分野に関し、より詳細には、通信装置、および、複数の目標受信機にデータを送信するための電力を制御するための方法に関する。
【背景技術】
【０００２】
Ｆｕｒｔｈｅｒ  ｅｎｈａｎｃｅｍｅｎｔ  ｏｆ  ｄｅｖｉｃｅ  ｔｏ  ｄｅｖｉｃｅ（ＦｅＤ２Ｄ）は、ウェアラブルデバイス／モノのインターネット（ＩｏＴ）デバイスと中継ユーザ機器（ＵＥ）との間の通信を最適化することを目標とする作業項目である。ＦｅＤ２Ｄにおいて、中継ＵＥが、各々がそれぞれの遠隔ＵＥを目標とする物理リソースブロック（ＰＲＢ）を含むサブフレームを送信するための送信時間間隔（ＴＴＩ：Ｔｒａｎｓｍｉｓｓｉｏｎ  Ｔｉｍｅ  Ｉｎｔｅｒｖａｌ）内で同時に複数の遠隔ＵＥ（ＩｏＴデバイスを含む）と通信することができる。異なるＰＲＢによって異なる目標受信機に配分されているデータを送信するために、中継ＵＥは、遠隔ＵＥにおける一定の受信電力を保証するために、それぞれのＰＲＢを配分されているデータを送信するためのそれぞれの電力を割り当てることができる。そのような場合、データを送信するための電力スペクトル密度（ＰＳＤ）の間の差は、中継ＵＥとそれぞれの遠隔ＵＥとの間の経路損失が異なることに起因して、相対的に大きくなる可能性があり、そのような差は、中継ＵＥの無線周波数（ＲＦ）制限を超える可能性があり、中継ＵＥの電力制御実施に課題をもたらす可能性がある。
【発明の概要】
【発明が解決しようとする課題】
【０００３】
１つの非限定的で例示的な実施形態は、ＰＲＢ間のＰＳＤ差をなくすこと、および、電力制御を効率的に実施することを容易にする。
【課題を解決するための手段】
【０００４】
１つの一般的な態様において、データが送信される複数の目標受信機のそれぞれの優先度を決定し、少なくとも、優先度が最も高いまたは電力閾値よりも高い特定の目標受信機に関係付けられる電力損失特徴に従って、データを送信するための電力を割り当てるように動作可能な回路と、割り当てられている電力を用いて、複数の目標受信機にデータを送信するように動作可能な送信機とを備える、通信装置が提供される。
【０００５】
別の一般的な態様において、データが送信される複数の目標受信機のそれぞれの優先度を決定することと、少なくとも、優先度が最も高いまたは電力閾値よりも高い特定の目標受信機に関係付けられる電力損失特徴に従って、データを送信するための電力を割り当てることと、割り当てられている電力を用いて、複数の目標受信機にデータを送信することとを含む、通信装置における電力制御方法が提供される。
【０００６】
別の一般的な態様において、送信機からある電力を用いて送信されるデータを受信するように動作可能な受信機と、受信されているデータを復号するように動作可能な回路とを備え、送信機からのデータの送信先である複数の目標受信機のうちの１つであり、当該受信機のそれぞれの優先度は送信機によって決定され、電力は、少なくとも、優先度が最も高いまたは電力閾値よりも高い特定の目標受信機に関係付けられる電力損失特徴に従って割り当てられる、通信装置が提供される。
【０００７】
別の一般的な態様において、送信機からある電力を用いて送信されるデータを受信することと、受信されているデータを復号することとを含み、通信装置は、送信機からのデータの送信先である複数の目標受信機のうちの１つであり、当該受信機のそれぞれの優先度は送信機によって決定され、電力は、少なくとも、優先度が最も高いまたは電力閾値よりも高い特定の目標受信機に関係付けられる電力損失特徴に従って割り当てられる、通信方法が提供される。
【０００８】
一般的なまたは特定の実施形態は、システム、方法、集積回路、コンピュータプログラム、記憶媒体、またはそれらの任意の選択的な組み合わせとして実施することができる。
【０００９】
開示されている実施形態の追加の恩恵および利点が、本明細書および図面から明らかとなろう。恩恵および／または利点は、本明細書および図面の様々な実施形態および特徴によって個々に得ることができ、そのような恩恵および／または利点の１つまたは複数を得るためにすべてが与えられる必要はない。
【図面の簡単な説明】
【００１０】
【図１Ａ】本開示の一実施形態による電力制御方式を適用する適用シナリオの一例を示す概略図である。
【図１Ｂ】本開示の一実施形態による電力制御方式を適用する適用シナリオの一例を示す概略図である。
【図１Ｃ】本開示の一実施形態による電力制御方式を適用する適用シナリオの一例を示す概略図である。
【図２Ａ】本開示の一実施形態による電力制御方法の一例を示す概略図である。
【図２Ｂ】本開示の一実施形態による電力制御方法の一例を示す概略図である。
【図３Ａ】本開示の一実施形態による電力制御方式を適用する適用シナリオの一例を示す概略図である。
【図３Ｂ】データの送信先である図３Ａに示す目標受信機の優先度決定方式の一例を示す概略図である。
【図４】複数のサブフレームにおいてデータが送信される目標受信機の優先度決定方式および電力割り当て方式の一例を示す概略図である。
【図５Ａ】本開示の別の実施形態による電力制御方式を適用する適用シナリオの一例を示す概略図である。
【図５Ｂ】データの送信先である図５Ａに示す基地局の優先度決定方式の一例を示す概略図である。
【図６】本開示の一実施形態による、基地局が関与しないときの通信装置と目標受信機との間の通信のフローチャートを示す概略図である。
【図７】本開示の一実施形態による、基地局が関与するときの通信装置と目標受信機との間の通信のフローチャートを示す概略図である。
【図８】本開示の別の実施形態による、基地局が関与するときの通信装置と目標受信機との間の通信のフローチャートを示す概略図である。
【図９】本開示の一実施形態による、通信装置における通信方法の一例を示す概略図である。
【図１０】本開示の一実施形態による通信装置の一例を示す概略図である。
【図１１】本開示の別の実施形態による通信装置の一例を示す概略図である。
【発明を実施するための形態】
【００１１】
これより、通信方法、装置およびシステムに関する図面を参照して、実施形態を説明する。本発明の技術は、多くの異なる形態および多くの異なる順序で具現化することができ、本明細書に記載されている実施形態に限定されるものとして解釈されるべきではない。むしろ、これらの実施形態は、本開示が徹底的かつ完全であり、本発明の技術を当業者に十分に伝達するように提供される。事実、本発明の技術は、添付の特許請求の範囲によって定義される本技術の範囲および趣旨内に含まれる、これらの実施形態の代替形態、修正形態および均等物を包含するように意図されている。さらに、本発明の技術の以下の詳細な説明において、本技術の徹底的な理解を提供するために、多数の具体的な詳細が記載される。しかしながら、本発明の技術はそのような具体的な詳細なしに実施されることができることは当業者には明らかであろう。
【００１２】
方法のステップの順序および構成要素の構造が本明細書において例示を目的として提供されているが、これは限定のためではない。本発明の技術の以下の詳細な説明は、例示および説明の目的で提示される。排他的であることも、本発明の技術を開示された正確な形態に限定することも意図されてはいない。上記の教示を考慮して多くの改変および変更が可能である。記載されている実施形態は、本発明の技術の原理およびその実際の適用を最良に説明するために、それによって、当業者が、本発明の技術を様々な実施形態において、企図される特定の使用に適するように様々な改変を加えて最良に利用することを可能にするように、選択されている。本発明の技術の範囲は本明細書に添付される特許請求の範囲によって画定されることが意図されている。
【００１３】
図１Ａ〜図１Ｃは本開示の一実施形態による電力制御方式を適用する適用シナリオの例を概略的に示す。
【００１４】
図１Ａに示すように、適用シナリオは、基地局、中継ＵＥ、ならびに、遠隔ＵＥ１および遠隔ＵＥ２のような複数の遠隔ＵＥ（例えば、ＩｏＴデバイス）を含む。中継ＵＥは、アップリンクおよびダウンリンクを介した双方向モードにおいて基地局と通信し、遠隔ＵＥにデータを送信し、および／または、遠隔ＵＥからデータを受信することによって、サイドリンクを介した双方向モードにおいて遠隔ＵＥと通信する。また、リソースブロックによって配分されるデータを、中継ＵＥと遠隔ＵＥとの間で通信することができる。データを基地局および／または遠隔ＵＥに送信するための電力を割り当てるために、本開示の実施形態による電力制御方法を、図１Ａに示す適用シナリオに適用することができる。
【００１５】
例えば、図１Ｂに示すように、適用シナリオは、基地局１および基地局２のような複数の基地局、ならびに中継ＵＥを含む。中継ＵＥは、アップリンクおよびダウンリンクを介した双方向モードにおいて複数の基地局と通信する。また、リソースブロックによって配分されるデータを、中継ＵＥと基地局との間で通信することができる。
【００１６】
図１Ｃに示すように、適用シナリオは、基地局、中継ＵＥ、および遠隔ＵＥを含む。中継ＵＥは、アップリンクおよびダウンリンクを介した双方向モードにおいて基地局と通信し、サイドリンクを介して遠隔ＵＥと通信する。また、リソースブロックによって配分されるデータを、中継ＵＥと遠隔ＵＥとの間、および、中継ＵＥと基地局との間で通信することができる。
【００１７】
基地局は、発展型ノードＢ（ｅＮＢ）、ｇＮＢ、および種々の通信規格における他のタイプの基地局と呼ばれる場合があることに留意されたい。
【００１８】
したがって、データの送信先である目標は、下記においてまとめて目標受信機として参照される場合がある。そのため、種々のシナリオにおいて、目標受信機は、複数の遠隔ＵＥ、複数の基地局、ならびに、遠隔ＵＥおよび複数の基地局の一部を含む場合がある。また、目標受信機に送信されるデータは、物理共有チャネル（ＰＳＳＣＨ、ＰＤＳＣＨ、ＰＵＳＣＨなど）を介して送信されるユーザデータおよび／または制御チャネル（ＰＳＣＣＨ、ＰＤＣＣＨなど）を介して送信される制御データを含む。
【００１９】
図１Ａ、図１Ｂおよび図１Ｃに示す要素は例示である。基地局および遠隔ＵＥと通信する任意の他の通信装置が適用シナリオに適用されてもよく、任意の数の遠隔ＵＥおよび基地局がまた適用シナリオに含まれてもよいことは理解されたい。
【００２０】
図２Ａは、本開示の一実施形態による、通信装置における電力制御方法２００の一例を概略的に示す。図２Ａにおいて特定のステップが開示されているが、そのようなステップは例である。すなわち、本開示は、様々な他のステップまたは図２Ａに記載されているステップの変形形態を実施するのによく適している。
【００２１】
通信装置は中継ＵＥであってもよく、代替的な実施形態においては、通信装置は基地局であってもよい。
【００２２】
通信装置は、回路および送信機を含むことができる。
【００２３】
電力制御方法２００内で、ステップ２２０において、通信装置の回路は、データの送信先である複数の目標受信機のそれぞれの優先度を決定する。
【００２４】
ステップ２４０において、通信装置の回路は、少なくとも、優先度が最も高いまたは電力閾値よりも高い特定の目標受信機に関係付けられる電力損失特徴に従って、データを送信するための電力を割り当てる。
【００２５】
ステップ２６０において、通信装置の送信機は、割り当てられている電力を用いて、複数の目標受信機にデータを送信する。
【００２６】
図２Ｂは、本開示の一実施形態による電力制御方法の一例を概略的に示す。図２Ｂに示すように、ステップ２２０を実施する前に、電力制御方法２００は、通信装置の回路によって実施される、条件が満たされるか否かを決定するステップ２１０を含む。ステップ２１０において条件が満たされない場合、通信装置の回路は、少なくとも、各対応する目標受信機に関係付けられる電力損失特徴に従って、それぞれの目標受信機にデータを送信するための電力を割り当てる。ステップ２１０において判定されるものとして条件が満たされる場合、条件が満たされていることに応答してステップ２２０が開始され、条件を判定するステップ２１０および目標受信機の優先度を決定するステップ２２０は、図３Ａおよび図３Ｂを併用して下記に例示する。
【００２７】
図３Ａは、本開示の一実施形態による電力制御方式を適用する適用シナリオの一例を概略的に示し、図３Ｂは、データの送信先である、図３Ａに示す目標受信機の優先度決定方式の一例を概略的に示す。
【００２８】
図３Ａに示すように、通信装置は、目標受信機１および目標受信機２のような複数の目標受信機と通信する。例えば、通信装置から目標受信機２までの距離は、通信装置から目標受信機１までの距離よりも長い。
【００２９】
図３Ｂに示すように、データは、それぞれの目標受信機に配分される複数のリソースブロックを含むサブフレーム＃Ｎ（Ｎは整数）内で送信され得る。より具体的に、サブフレーム＃Ｎにおいて、第１の帯域幅にわたる６つのリソースブロック（例えば、図面に示すような６つのＰＲＢ）が目標受信機１に配分され、第２の帯域幅にわたる６つのリソースブロックが、目標受信機２に配分される。
【００３０】
一実施形態において、ステップ２１０において判定されるための条件は、計算される推定ＰＳＤ差のうちの少なくとも１つがＰＳＤ閾値よりも大きいことを含み得る。また、回路によるステップ２１０は、それぞれの目標受信機へのデータの送信に関する電力スペクトル密度（ＰＳＤ）を推定すること、推定ＰＳＤ間のＰＳＤ差を推定すること、および、推定ＰＳＤ間の推定ＰＳＤ差のうちの少なくとも１つがＰＳＤ閾値よりも大きいか否かの条件が満たされることを判定することを含む。
【００３１】
ステップ２１０の前に、電力制御方法２００は、サブフレームごとに、それぞれの目標受信機にデータを送信するためのそれぞれの帯域幅およびそれぞれのサブフレーム内でリソースブロック（ＰＲＢなど）を配分するステップを含むことができる。
【００３２】
一実施形態において、目標受信機にデータを送信するための推定ＰＳＤは、データを受信する目標受信機における一定の受信電力を保証するためのものである。例えば、以下の例示的な式（１）によって、目標受信機１にデータを送信するための推定ＰＳＤ（ＰＳＤ１）を計算することができ、目標受信機２にデータを送信するための推定ＰＳＤ（ＰＳＤ２）を計算することができる。
【００３３】
通信装置が中継ＵＥであり、目標受信機が遠隔ＵＥであり、中継ＵＥが物理サイドリンク共有チャネル（ＰＳＳＣＨ）において遠隔ＵＥにデータを送信する例を挙げると、式（１）は以下のとおりである。
ＰＳＤ＝ｍｉｎ｛ＰＣＭＡＸ，ＰＳＳＣＨ，１０ｌｏｇ１０（ＭＰＳＳＣＨ＿ｉ）＋ＰＯ＿ＰＳＳＣＨ，ｉ＋αＰＳＳＣＨ，１・ＰＬ＿ｓｉｄｅｌｉｎｋ＿ｉ｝／ＭＰＳＳＣＨ＿ｉ        （１）
【００３４】
ここで、ＰＣＭＡＸ，ＰＳＳＣＨは、ＰＳＳＣＨの最大電力を意味し、ＭＰＳＳＣＨ＿ｉは、対応する遠隔ＵＥ（すなわち、ｉ番目の遠隔ＵＥ）にデータを送信するための配分されているＰＲＢの数であり、ＰＬ＿ｓｉｄｅｌｉｎｋ＿ｉは、ｉ番目の遠隔ＵＥと中継ＵＥとの間の距離に基づくサイドリンク経路損失であり、ＰＯ＿ＰＳＳＣＨ，ｉは、ｉ番目の遠隔ＵＥにおける目標信号対干渉雑音比（ＳＩＮＲ）であり、αＰＳＳＣＨ，１はサイドリンク経路損失の係数である。
【００３５】
式（１）から分かるように、ＰＲＢの数、ＰＯ＿ＰＳＳＣＨ，ｉおよびαＰＳＳＣＨ，１のような他のパラメータが遠隔ＵＥの間で同様である場合、サイドリンク経路損失は主に、推定ＰＳＤの量に影響を与える。
【００３６】
式（１）は一例に過ぎず、目標受信機が基地局または他の受信機であるとき、式（１）は式（１）の概念に照らして適合させることができる。
【００３７】
ステップ２１０に戻って参照すると、ステップ２１０において、条件が満たされるか否かを判定するために、目標受信機１と目標受信機２との間の推定ＰＳＤ差を計算するために推定ＰＳＤ１およびＰＳＤ２が比較される。目標受信機１と目標受信機２との間の推定ＰＳＤ差がＰＳＤ閾値よりも大きい場合、条件が満たされ、結果、ステップ２２０が開始される、すなわち、ＰＳＤ１とＰＳＤ２との間のＰＳＤ差がＰＳＤ閾値よりも大きいことに応答してステップ２２０が開始され、ＰＳＤのより大きい目標受信機２が、優先度のより高い特定の目標受信機であると判定される。一実施形態において、ＰＳＤ閾値は、通信装置の電力割り当て容量に基づいて構成または事前構成または定義することができる。
【００３８】
一実施形態において、ステップ２２０は、目標受信機の推定ＰＳＤに応じて目標受信機の優先度を決定することを含む。特に、目標受信機の推定ＰＳＤがより大きい場合、目標受信機の優先度はより高くなり得る。目標受信機の推定ＰＳＤがより低い場合、目標受信機の優先度はより低くなり得る。
【００３９】
図３Ａの適用シナリオにおいて任意の数の目標受信機が含まれてもよいことは理解されたい。そのため、通信装置は、目標受信機の各々へのデータの送信に関するＰＳＤを推定し、条件が満たされるか否かを判定するために、ステップ２１０において複数の目標受信機間の推定ＰＳＤ差を計算する。ステップ２２０は、計算されている推定ＰＳＤ差（いずれか１つのＰＳＤ差または最大のＰＳＤ差を含む）のうちの少なくとも１つがＰＳＤ閾値よりも大きいことに応答して開始され、ＰＳＤが最大である目標受信機が、優先度の最も高い特定の目標受信機であると判定される。
【００４０】
一実施形態において、上述したように、ＰＲＢの数、ＰＯ＿ＰＳＳＣＨ，ｉおよびαＰＳＳＣＨ，１のような他のパラメータが目標受信機の間で同様である場合、サイドリンク経路損失は主に、推定ＰＳＤの量に影響を与える。推定ＰＳＤは主に、通信装置と目標受信機との間の経路における電力消費を示す経路損失と関連付けられ、経路損失は、通信装置からその目標受信機までの距離に対して直線性を有するため、対応する目標受信機のＰＳＤは、通信装置からその目標受信機までの距離に対して直線性であるものとして近似することができる。したがって、ステップ２１０において判定されるための条件は、通信装置とそれぞれの目標受信機との間の距離の差のうちの少なくとも１つが距離差閾値よりも大きいことを含み得る。
【００４１】
一実施形態において、ステップ２２０は、通信装置とそれぞれの目標受信機との間の距離の差（いずれか１つの距離差または最大の距離差を含む）のうちの少なくとも１つが距離差閾値よりも大きいことに応答して開始されてもよく、通信装置からの距離が最長である目標受信機が、優先度の最も高い特定の目標受信機であると判定される。一実施形態において、距離差閾値は、通信装置の電力割り当て容量に基づいて構成または事前構成または定義することができる。
【００４２】
一実施形態において、ステップ２２０は、通信装置と目標受信機との間の距離に応じて目標受信機の優先度を決定することを含んでもよい。特に、通信装置と目標受信機との間の距離がより長い場合、目標受信機の優先度はより高くなり得る。特に、通信装置と目標受信機との間の距離がより短い場合、目標受信機の優先度はより低くなり得る。
【００４３】
図３Ａに示す適用シナリオを一例に挙げる。通信装置から目標受信機１までの距離と、通信装置から目標受信機２までの距離との間の距離差ΔＤは、式（２）に従って計算することができる。
ΔＤ＝１０×ｌｏｇ１０（Ｄ２／Ｄ１）        （２）
【００４４】
通信装置から目標受信機１までの距離Ｄ１が１０ｍであり、通信装置から目標受信機２までの距離Ｄ２が１００ｍである状況において、距離差ΔＤは、式（２）に従って１０ｄＢに等しい。距離差閾値が例えば６ｄＢとして構成または事前構成または定義される場合、この距離差ΔＤは、距離差閾値よりも大きい。この距離差計算は、一例に過ぎず、他の距離差計算（Ｄ２からＤ１の減算など）も利用可能である。
【００４５】
この場合、ステップ２２０は、差ΔＤが距離差閾値Ｄｔｈよりも大きいことに応答して開始され、ステップ２２０において、通信装置からの距離がより長い目標受信機２が、優先度のより高い特定の目標受信機であると判定される。
【００４６】
別の実施形態において、ステップ２１０において判定されるための条件は、計算されている推定ＰＳＤ差のうちの少なくとも１つがＰＳＤ閾値よりも大きく、かつ／または、通信装置とそれぞれの目標受信機との間の距離の差のうちの少なくとも１つが距離差閾値よりも大きいことを含んでもよく、ステップ２２０は、その判定されている条件に応答して実施され、ステップ２２０において、目標受信機の優先度は、目標受信機に送信されることになるデータのサービス品質（ＱｏＳ）関連優先度に応じて決定される。特に、目標受信機に送信されることになるデータＱｏＳ関連優先度がより高い場合、目標受信機の優先度はより高くなり得る。目標受信機に送信されることになるデータＱｏＳ関連優先度がより低い場合、目標受信機の優先度はより低くなり得る。例えば、いくつかの目標受信機はそのいくつかの目標受信機を目標とする受信データのより高いＱｏＳを必要とし、そのため、目標受信機に送信されることになるデータのＱｏＳ関連優先度はより高い。図３Ｂに示すように、目標受信機２が目標受信機２を目標とするデータの目標受信機１よりも高いＱｏＳを必要とする場合、目標受信機２は、優先度のより高い特定の受信機であると判定される。
【００４７】
一実施形態において、電力閾値よりも高い電力を用いてデータが送信される目標受信機が、特定の目標受信機として選択され得る。計算されている推定ＰＳＤ差のうちの少なくとも１つがＰＳＤ閾値よりも大きく、かつ／または、通信装置とそれぞれの目標受信機との間の距離の差のうちの少なくとも１つが距離差閾値よりも大きい場合、ステップ２２０は、その判定されている条件に応答して実施され、ステップ２２０において、電力閾値よりも高い電力を用いてデータが送信される目標受信機が、特定の目標受信機として選択され得る。例えば、図３Ｂに示すように、電力閾値よりも高い電力を用いてデータが目標受信機２に送信され、かつ、電力閾値よりも小さい電力を用いてデータが目標受信機１に送信される場合、電力閾値よりも高い電力を用いてデータが送信される目標受信機２が、優先度のより高い特定の受信機であると判定される。
【００４８】
特定の目標受信機が判定されると、ステップ２４０において、少なくとも、優先度が最も高いまたは電力閾値よりも高い特定の目標受信機に関係付けられる電力損失特徴に従って、データを送信するための電力が割り当てられる。
【００４９】
一実施形態において、割り当てられることになる電力Ｐは、式（３−１）〜（３−３）に従って計算することができる。
ＰＰＳＳＣＨ＿ｒｅｍｏｔｅ＝ｍｉｎ｛ＰＣＭＡＸ，ＰＳＳＣＨ，１０ｌｏｇ１０（ＭＰＳＳＣＨ）＋ＰＯ＿ＰＳＳＣＨ，１＋αＰＳＳＣＨ，１・ＰＬ＿ｒｅｍｏｔｅ｝        （３−１）
ＰＰＳＳＣＨ＿ｅＮＢ＝ｍｉｎ｛ＰＣＭＡＸ，ＰＳＳＣＨ，１０ｌｏｇ１０（ＭＰＳＳＣＨ）＋ＰＯ＿ＰＳＳＣＨ，１＋αＰＳＳＣＨ，１・ＰＬ＿ｅＮＢ｝        （３−２）
ＰＰＳＳＣＨ＿ｆｉｎａｌ＝ｍｉｎ｛ＰＰＳＳＣＨ＿ｒｅｍｏｔｅ，ＰＰＳＳＣＨ＿ｅＮＢ｝        （３−３）
【００５０】
式（３−１）において、ＰＰＳＳＣＨ＿ｒｅｍｏｔｅは、目標受信機にデータを送信するために通信装置から送信される電力を示し、ＰＣＭＡＸ，ＰＳＳＣＨは、通信装置から目標受信機にデータを送信するためのＰＳＳＣＨの最大電力を示し、ＭＰＳＳＣＨは、データｔを目標受信機に送信するための配分されるリソースブロック（ＰＲＢなど）の総数であり、ＰＬ＿ｒｅｍｏｔｅは、特定の目標受信機に関係付けられる経路損失であり、例えば、ＰＬ＿ｒｅｍｏｔｅは、特定の目標受信機に関係付けられる電力損失特徴に従って計算され、ＰＯ−ＰＳＳＣＨ，１は、目標送信機における目標ＳＩＮＲであり、αＰＳＳＣＨ，１は経路損失の係数であり、式（３−２）は、基地局が通信装置および／または目標受信機との通信に関与するときに計算され（例えば、通信装置は、目標受信機にデータを送信している間に基地局と通信することができる）、ＰＰＳＳＣＨ＿ｅＮＢは、基地局から送信される電力を示し、ＰＬ＿ｅＮＢは、基地局に関係付けられる電力損失であり、例えば、ＰＬ＿ｅＮＢは、基地局に関係付けられる電力損失特徴、例えば、通信装置／目標受信機と基地局との間の距離の差に関係付けられる経路損失に従って計算され、他のパラメータは式（３−１）に示すものと同様であり、明瞭かつ簡潔にするために例示せず、式（３−３）のＰＰＳＳＣＨ＿ｆｉｎａｌは、基地局に関係付けられる電力損失特徴に関係付けられる電力損失によって計算される電力制限よりも低い最後の電力（例えば、ＰＰＳＳＣＨ＿ｅＮＢ）が目標受信機への送信に割り当てられることを示し、基地局が通信に関与するため、リソースブロックの送信に割り当てられる最後の電力は、基地局の電力受信容量によって制限され得る。リソースブロックの送信に割り当てられる最後の電力は、すべてのデータの合計電力であることに留意されたい。
【００５１】
それゆえ、特定の目標受信機が判定されると、データの送信に割り当てられることになる合計電力Ｐは、式（３−１）〜（３−３）に従って計算することができる。すなわち、合計電力は基地局に関係付けられる電力損失特徴によって計算されるＰＣＭＡＸ，ＰＳＳＣＨ以下になるため、合計電力が基地局の電力受信容量を超えないように、合計電力は、基地局に関係付けられる電力損失特徴によって計算されるＰＣＭＡＸ，ＰＳＳＣＨ、および、配分されるＰＲＢ数の総数、通信装置と特定の目標受信機との間の距離の差に関係付けられる経路損失、および目標ＳＩＮＲのパラメータに従って計算される電力のうちの低い方である。
【００５２】
一実施形態において、特定の目標受信機に関係付けられる電力損失特徴は、通信装置と特定の目標受信機との間の経路上の電力消費を示す経路損失（例えば、上記の式のＰＬ＿ｒｅｍｏｔｅ）を含み、基地局に関係付けられる電力損失特徴は、基地局と通信装置との間の経路上の電力消費を示す経路損失（例えば、上記の式のＰＬ＿ｅＮＢ）を含む。
【００５３】
合計電力が決定されると、合計電力は、目標受信機にデータを送信するために割り当てられる。ステップ２４０において、回路は、目標受信機にデータを送信するための電力を割り当てる。一実施形態において、合計電力は、リソースブロックを含むサブフレーム内のデータを目標受信機に送信するために割り当てられる。また、各リソースブロック内のデータを送信するための各個々の電力について、合計電力Ｐは、目標受信機のＰＳＤを示す各リソースブロックの個々の電力を得るために、サブフレーム内の配分されているリソースブロック（ＰＲＢ）の総数によってさらに分割することができ、各リソースブロックに割り当てられる個々の電力は均等に維持されるため、目標受信機間のＰＳＤ差を排除することができ、これによって、目標受信機における一定の受信電力を保証しながら、通信装置の電力制御実施が効率的に改善される。
【００５４】
一実施形態において、本開示の一実施形態による電力制御方法２００は、上述したように回路によって、サブフレームごとに、目標受信機のデータにリソースブロックを配分するステップ（図２Ａまたは図２Ｂには示されていない）を含む。結果として、配分方式に起因して、配分されているリソースブロックによってデータを受信することになる目標受信機は、サブフレームごとに動的に変化し得る。本開示の一実施形態による電力制御方法２００は、データの送信先である目標受信機のそれぞれの優先度を決定するため、回路は、ステップ２２０をサブフレームごとに実施し、これによって、データを送信するための電力制御を、サブフレームごとに効率的かつ柔軟に実施することができる。
【００５５】
その後、ステップ２６０において、通信装置の送信機は、それぞれ、割り当てられている電力を用いて、複数の目標受信機にデータを送信する。
【００５６】
図４は、それぞれＰＳＤ、距離およびＱｏＳ関連優先度に基づく、データの送信先である目標受信機の優先度決定方式および電力割り当て方式の一例を概略的に示す。
【００５７】
１つの実施形態において、優先度決定方式は、ＰＳＤに基づく。
【００５８】
通信装置が、目標受信機１、目標受信機２、目標受信機３、および目標受信機４を含む４つの目標受信機と通信すると仮定する。また、目標受信機１と通信装置との間の距離ｄ１が１００ｍであり、目標受信機２と通信装置との間の距離ｄ２が１０ｍであり、目標受信機３と通信装置との間の距離ｄ３が２０ｍであり、目標受信機４と通信装置との間の距離ｄ４が８０ｍである。図４に示す目標受信機の構成は例示を目的としたものに過ぎず、本発明において目標受信機の他の構成が可能であることは理解されたい。
【００５９】
ステップ２１０において判定されるための条件は、計算されている推定ＰＳＤ差のうちの少なくとも１つがＰＳＤ閾値よりも大きいことを含み、推定ＰＳＤ差は、サブフレームごとに条件が満たされるか否かを判定するために計算され、計算されている推定ＰＳＤ差のうちの少なくとも１つがＰＳＤ閾値よりも大きいことに応答して、ステップ２２０が開始される。ステップ２２０において、目標受信機の推定ＰＳＤに応じて目標受信機の優先度が決定され、ＰＳＤが最大である目標受信機が、優先度の最も高い特定の目標受信機であると判定される。図４は、推定ＰＳＤ差によるサブフレームごとの優先度決定方式の一例を示す。
【００６０】
図４に示すように、サブフレーム＃Ｎを送信するための送信時間間隔（ＴＴＩ）内で、すなわち、サブフレーム＃Ｎ内で、帯域幅１にわたる６つのリソースブロックが目標受信機１に配分され、帯域幅３にわたる６つのリソースブロックが目標受信機２に配分される。目標受信機１と通信装置との間の距離ｄ１は、目標受信機２と通信装置との間の距離ｄ２よりもはるかに大きいため、（例えば、式（１）によれば）目標受信機１と通信装置との間の経路損失は、目標受信機２と通信装置との間の経路損失よりもはるかに大きく、それゆえ、目標受信機１のＰＳＤと目標受信機２のＰＳＤとの間のＰＳＤ差は、ＰＳＤ閾値よりも大きくなり得、その後、目標受信機１および２の優先度が決定され、一実施形態においては、ＰＳＤのより大きい目標受信機１が、優先度のより高い特定の目標受信機であると判定される。それゆえ、データを送信するために割り当てられる合計電力は、式（３−１）〜（３−３）に従って、特定の目標受信機１に関係付けられる電力損失特徴に従って計算され、合計電力は、基地局が関与する場合の基地局に関係付けられる電力損失特徴によって計算されるＰＣＭＡＸ，ＰＳＳＣＨよりも低い。
【００６１】
サブフレーム＃（Ｎ＋１）内で、帯域幅２にわたる６つのリソースブロックが目標受信機４に配分され、帯域幅４にわたる６つのリソースブロックが目標受信機２に配分される。目標受信機４と通信装置との間の距離ｄ４は、目標受信機２と通信装置との間の距離ｄ２よりもはるかに大きいため、（例えば、式（１）によれば）目標受信機４と通信装置との間の経路損失は、目標受信機２と通信装置との間の経路損失よりもはるかに大きく、それゆえ、目標受信機２のＰＳＤと目標受信機４のＰＳＤとの間のＰＳＤ差は、ＰＳＤ閾値よりも大きくなり得、その後、目標受信機２および４の優先度が決定され、一実施形態においては、ＰＳＤのより大きい目標受信機４が、優先度のより高い特定の目標受信機であると判定される。それゆえ、サブフレーム＃（Ｎ＋１）内でデータを送信するための合計電力割り当ては、式（３−１）〜（３−３）に従って、特定の目標受信機４に関係付けられる電力損失特徴に従って計算され、合計電力は、基地局に関係付けられる電力損失特徴によって計算されるＰＣＭＡＸ，ＰＳＳＣＨよりも低い。
【００６２】
サブフレーム＃（Ｎ＋２）について、帯域幅１にわたる６つのリソースブロックが目標受信機２に配分され、帯域幅３にわたる６つのリソースブロックが目標受信機３に配分される。目標受信機２と通信装置との間の距離ｄ２は目標受信機３と通信装置との間の距離ｄ３に近いため、（例えば、式（１）によれば）目標受信機２と通信装置との間の経路損失は、目標受信機３と通信装置との間の経路損失に近く、それゆえ、目標受信機３のＰＳＤと目標受信機２のＰＳＤとの間のＰＳＤ差はＰＳＤ閾値よりも大きくないものであり得、したがって、２２０のステップは実施されず、一方、したがって、図２Ｂに示すようなステップ２３０が実施され、目標受信機２および目標受信機３に送信されることになるデータを送信するために割り当てられる電力はそれぞれ、式（３−１）〜（３−３）に従って、目標受信機２および目標受信機３に関係付けられる電力損失特徴に従って計算することができ、各目標受信機について、電力は、その目標受信機の配分されているＰＲＢ数、通信装置とその目標受信機との間の距離の差に関係付けられる経路損失、および目標受信機における目標ＳＩＮＲのパラメータに従って計算される。
【００６３】
サブフレーム＃（Ｎ＋２）の次のサブフレームにおいて、同様の優先度決定方式および電力割り当て方式がサブフレームごとに実施され、詳細は簡潔にするために説明しない。
【００６４】
１つの実施形態において、優先度決定方式は、距離に基づく。
【００６５】
特に、ステップ２１０において判定されるための条件は、通信装置とそれぞれの目標受信機との間の距離の差のうちの少なくとも１つが距離差閾値よりも大きいことを含み、ステップ２２０は、サブフレームごとに、通信装置とそれぞれの目標受信機との間の距離差のうちの少なくとも１つが距離差閾値よりも大きいことに応答して開始され、目標受信機の優先度は、通信装置と目標受信機との間の距離に応じて決定され、通信装置からの距離が最長である目標受信機が、優先度の最も高い特定の目標受信機であると判定される。図４は、通信装置と目標受信機との間の距離による、サブフレームごとの優先度決定方式および電力割り当て方式の一例を示す。
【００６６】
図４に示すように、サブフレーム＃Ｎ内のデータを送信するための送信時間間隔（ＴＴＩ）内で、帯域幅１にわたる６つのリソースブロック（６つのＰＲＢなど）のような複数のリソースブロックが目標受信機１に配分され、帯域幅３にわたる６つのリソースブロック（６つのＰＲＢなど）が目標受信機２に配分される。通信装置と目標受信機１との間の距離と、通信装置と目標受信機２との間の距離との間の距離差ΔＤＮは式（２）に従って計算され、したがって１０ｄＢに等しい。距離差閾値は６ｄＢであると仮定され、通信装置と目標受信機１との間の距離と、通信装置と目標受信機２との間の距離との間の距離差ΔＤＮは距離差閾値よりも大きく、したがって、目標受信機１および２の優先度が決定され、一実施形態において、通信装置からの距離がより長い目標受信機１が、優先度のより高い特定の目標受信機であると判定される。それゆえ、サブフレーム＃Ｎ内でデータを送信するための合計電力割り当ては、式（３−１）〜（３−３）に従って、特定の目標受信機１に関係付けられる電力損失特徴に従って計算され、合計電力は、基地局に関係付けられる電力損失特徴によって計算されるＰＣＭＡＸ，ＰＳＳＣＨよりも低い。
【００６７】
サブフレーム＃（Ｎ＋１）内で、帯域幅２にわたる６つのリソースブロックが目標受信機４に配分され、帯域幅４にわたる６つのリソースブロックが目標受信機２に配分される。通信装置と目標受信機２との間の距離と、通信装置と目標受信機４との間の距離との間の距離差ΔＤ（Ｎ＋１）は、式（２）に従って計算され、したがって９ｄＢに等しく、これは距離差閾値よりも大きく、目標受信機の優先度の決定を開始するための条件を満たす。その後、目標受信機２および４の優先度が決定され、一実施形態において、通信装置からの距離がより長い目標受信機４は、優先度のより高い特定の目標受信機であると判定される。この場合、ＰＳＤに基づく優先度の決定と比較すると、距離に基づくそのような優先度の決定は、距離によって引き起こされる経路損失に基づいてＰＳＤを計算するための計算コストおよび時間を低減することができる。それゆえ、サブフレーム＃（Ｎ＋１）内でデータを送信するための合計電力割り当ては、式（３−１）〜（３−３）に従って、特定の目標受信機４に関係付けられる電力損失特徴に従って計算され、合計電力は、基地局が関与する場合の基地局に関係付けられる電力損失特徴によって計算されるＰＣＭＡＸ，ＰＳＳＣＨよりも低い。
【００６８】
サブフレーム＃（Ｎ＋２）内で、帯域幅１にわたる６つのリソースブロックが目標受信機２に配分され、帯域幅３にわたる６つのリソースブロックが目標受信機３に配分される。通信装置と目標受信機２との間の距離と、通信装置と目標受信機３との間の距離との間の距離差ΔＤ（Ｎ＋２）は、式（２）に従って計算され、３ｄＢに近似し、これは距離差閾値（例えば、６ｄＢ）よりも小さく、ステップ２２０は実施されず、一方、したがって、図２Ｂに示すようなステップ２３０が実施され、目標受信機２および目標受信機３にデータを送信するための電力はそれぞれ、式（３−１）および（３−２）に従って、目標受信機２および目標受信機３に関係付けられる電力損失特徴に従って計算することができ、各目標受信機について、電力は、その目標受信機の配分されているＰＲＢ数、通信装置とその目標受信機との間の距離の差に関係付けられる経路損失、およびその目標受信機における目標ＳＩＮＲのパラメータに従って計算される。
【００６９】
サブフレーム＃（Ｎ＋２）の次のサブフレームにおいて、同様の決定方式がサブフレームごとに実施され、詳細は簡潔にするために説明しない。
【００７０】
１つの実施形態において、優先度決定方式は、ＱｏＳ関連優先度に基づく。
【００７１】
特に、別の実施形態において、目標受信機の優先度が目標受信機に送信されるデータのＱｏＳ関連優先度に応じて決定される場合、優先度が最も高いデータが受信されることになる目標受信機が、優先度の最も高い特定の受信機であると判定される。
【００７２】
優先度決定ステップが実施される前に、本開示の一実施形態による電力制御方法２００は、サブフレームごとに、ステップ２１０における条件を決定する。一実施形態において、判定されるための条件は、計算されている推定ＰＳＤ差のうちの少なくとも１つがＰＳＤ閾値よりも大きく、かつ／または、通信装置とそれぞれの目標受信機との間の距離の差のうちの少なくとも１つが距離差閾値よりも大きいことを含み、ステップ２２０は、その判定されている条件に応答して実施され、それぞれの目標受信機の優先度が決定され、目標受信機の各優先度は、目標受信機に送信されるデータのＱｏＳ関連優先度に応じて決定される。最も優先度の高いデータが受信されることになる目標受信機が、一実施形態において、優先度の最も高い特定の受信機であると判定される。図４は、目標受信機に送信されることになるデータのＱｏＳ関連優先度によるサブフレームごとの優先度決定方式の一例を示す。
【００７３】
一実施形態において、目標受信機１に送信されるデータのＱｏＳ関連優先度はＰＲ１であり、目標受信機２に送信されるデータのＱｏＳ関連優先度はＰＲ２であり、目標受信機３に送信されるデータのＱｏＳ関連優先度はＰＲ３であり、目標受信機４に送信されるデータのＱｏＳ関連優先度はＰＲ４であり、ＰＲ１の優先度＞ＰＲ２の優先度＞ＰＲ３の優先度＞ＰＲ４の優先度であると仮定される。図４に示す目標受信機の構成は例示を目的としたものに過ぎず、本発明において目標受信機の他の構成が可能であることは理解されたい。
【００７４】
図４に示すように、サブフレーム＃Ｎを送信するためのＴＴＩ内で、例えば、サブフレーム＃Ｎ内で、帯域幅１にわたる６つのリソースブロックが目標受信機１に配分され、帯域幅３にわたる６つのリソースブロックが目標受信機２に配分される。目標受信機１と目標受信機２との間の推定ＰＳＤ差がＰＳＤ閾値よりも大きく、かつ／または、通信装置と目標受信機１との間の距離と、通信装置と目標受信機２との間の距離との間の距離差ΔＤＮが距離差閾値よりも大きい場合、目標受信機１および２のＱｏＳ関連優先度の判定が開始され、ＱｏＳ関連優先度のより高いデータが受信されることになる目標受信機１が、優先度のより高い特定の目標受信機であると判定される。それゆえ、サブフレーム＃Ｎ内でデータを送信するための合計電力割り当ては、式（３−１）〜（３−３）に従って、特定の目標受信機１に関係付けられる電力損失特徴に従って計算され、合計電力は、基地局が関与する場合の基地局に関係付けられる電力損失特徴によって計算されるＰＣＭＡＸ，ＰＳＳＣＨよりも低い。
【００７５】
サブフレーム＃（Ｎ＋１）内で、帯域幅２にわたる６つのリソースブロックが目標受信機４に配分され、帯域幅４にわたる６つのリソースブロックが目標受信機２に配分される。目標受信機２と目標受信機４との間の推定ＰＳＤ差がＰＳＤ閾値よりも大きく、かつ／または、通信装置と目標受信機２との間の距離と、通信装置と目標受信機４との間の距離との間の距離差ΔＤ（Ｎ＋１）が距離差閾値よりも大きい場合、ステップ２２０において目標受信機２および４のＱｏＳ関連優先度の判定が開始され、ＱｏＳ関連優先度のより高いデータが受信されることになる目標受信機２が、優先度のより高い特定の目標受信機であると判定される。それゆえ、サブフレーム＃（Ｎ＋１）内でデータを送信するための合計電力割り当ては、式（３−１）〜（３−３）に従って、特定の目標受信機２に関係付けられる電力損失特徴に従って計算され、合計電力は、基地局が関与する場合の基地局に関係付けられる電力損失特徴によって計算されるＰＣＭＡＸ，ＰＳＳＣＨよりも低い。
【００７６】
サブフレーム＃（Ｎ＋２）について、帯域幅１にわたる６つのリソースブロックが目標受信機２に配分され、帯域幅３にわたる６つのリソースブロックが目標受信機３に配分される。目標受信機２と目標受信機３との間の推定ＰＳＤ差がＰＳＤ閾値以下であり、かつ／または、通信装置と目標受信機２との間の距離と、通信装置と目標受信機３との間の距離との間の距離差ΔＤ（Ｎ＋２）が距離差閾値以下である場合、ステップ２２０は実施されず、一方、したがって、図２Ｂに示すようなステップ２３０が実施され、目標受信機２および目標受信機３にデータを送信するための電力はそれぞれ、式（３−１）および（３−３）に従って、目標受信機２および目標受信機３に関係付けられる電力損失特徴に従って計算することができ、各目標受信機について、電力は、その目標受信機の配分されているＰＲＢ数、通信装置とその目標受信機との間の距離の差に関係付けられる経路損失、およびその目標受信機における目標ＳＩＮＲのパラメータに従って計算される。
【００７７】
サブフレーム＃（Ｎ＋２）の次のサブフレームにおいて、同様の優先度決定方式および電力割り当て方式がサブフレームごとに実施され、詳細は簡潔にするために説明しない。
【００７８】
上述したように、一実施形態において、通信装置は中継ユーザ機器（ＵＥ）であり、目標受信機は基地局を含む。図５Ａは、本開示の別の実施形態による電力制御方式を適用するそのような適用シナリオの一例を概略的に示す。適用シナリオは、通信装置としてのＵＥと、目標受信機としての複数の基地局（例えば、基地局１および基地局２）を含む。
【００７９】
一実施形態において、通信装置は、サブフレーム＃Ｍにおいてデータが送信される基地局１および基地局２のそれぞれの優先度を決定し、少なくとも、優先度が最も高いまたは電力閾値よりも高い特定の基地局に関係付けられる電力損失特徴に従って、データを送信するための電力が割り当てられる。
【００８０】
一実施形態において、通信装置は、図２Ａに示すようなステップ２２０および２４０を実施する。一実施形態において、通信装置は、条件を判定するために図２Ｂに示すステップ２１０を実施し、条件が判定されたことに応答して、ステップ２２０が開始される。その後、通信装置は、その条件に応答して基地局１および基地局２のそれぞれの優先度を決定する。また、条件を判定するためのステップ２１０および基地局の優先度は、図５Ａおよび図５Ｂを併用して下記に説明する。
【００８１】
図５Ｂは、サブフレーム内でデータが送信される図５Ａに示す基地局の優先度決定方式の一例を概略的に示す。図５Ｂに示すように、サブフレーム＃Ｍ（Ｍは整数）で、第１の帯域幅にわたる６つのリソースブロックのような複数のリソースブロックが基地局１に配分され、第２の帯域幅にわたる６つのリソースブロックが基地局２に配分される。
【００８２】
一実施形態において、判定されるための条件は、計算されている推定ＰＳＤ差がＰＳＤ閾値よりも大きいことを含み、基地局の優先度は、基地局の推定ＰＳＤに応じて決定される。
【００８３】
一実施形態において、各基地局へのデータの送信の推定ＰＳＤは、リソースブロックあたりの電力割り当てを示す。すなわち、基地局１へのデータの送信の推定ＰＳＤ（ＰＳＤ  ｂ１）は、基地局１にデータを送信するために割り当てられる電力を、基地局１に割り振られるリソースブロックの数によって除算することによって計算することができ、基地局２へのデータの送信の推定ＰＳＤ（ＰＳＤ  ｂ２）は、基地局２にデータを送信するために割り当てられる電力を、基地局２に割り振られるリソースブロックの数によって除算することによって計算することができる。
【００８４】
ＰＳＤ  ｂ１とＰＳＤ  ｂ２とが比較されて、それぞれ基地局１および基地局２のＰＳＤ  ｂ１とＰＳＤ  ｂ２との間の推定ＰＳＤ差が計算される。通信装置は、ＰＳＤ  ｂ１とＰＳＤ  ｂ２との間のＰＳＤ差がＰＳＤ閾値よりも大きいことに応答して基地局１および基地局２のそれぞれの優先度の決定を開始し、ＰＳＤのより大きい基地局が、優先度のより高い特定の目標受信機であると判定される。一実施形態において、ＰＳＤ閾値は、通信装置の電力割り当て容量に基づいて構成または事前構成または定義される。
【００８５】
図５Ａの適用シナリオにおいて任意の数の基地局が含まれてもよいことは理解されたい。そのため、通信装置は、基地局の各々へのデータの送信に関する推定ＰＳＤを計算し、複数の基地局のＰＳＤ間の推定ＰＳＤ差を計算する。通信装置は、計算されている推定ＰＳＤ差のうちの少なくとも１つがＰＳＤ閾値よりも大きいことに応答して基地局のそれぞれの優先度の決定を開始し、ＰＳＤの最も大きい基地局が、優先度の最も高い特定の基地局であると判定される。
【００８６】
一実施形態において、判定されるための条件は、通信装置とそれぞれの基地局との間の距離の差のうちの少なくとも１つが距離差閾値よりも大きいことを含み、基地局の優先度は、通信装置と目標受信機との間の距離に応じて決定することができる。一実施形態において、通信装置は、通信装置とそれぞれの基地局との間の距離差が距離差閾値よりも大きいことに応答して基地局のそれぞれの優先度の決定を開始し、通信装置から距離が最も長い基地局が、優先度の最も高い特定の基地局であると判定される。一実施形態において、距離差閾値は、通信装置の電力割り当て容量に基づいて構成または事前構成または定義される。
【００８７】
図５Ａに示す適用シナリオを一例に挙げる。通信装置と基地局１との間の距離と、通信装置と基地局２との間の距離との間の距離差ΔＤｂは式（２）に従って計算することができる。
【００８８】
距離差閾値が、例えば、距離差ΔＤｂが距離差閾値よりも大きい場合、構成または事前構成または定義される条件において、通信装置は、差ΔＤｂが距離差閾値よりも大きいことに応答して基地局のそれぞれの優先度の決定を開始し、通信装置からの距離がより長い基地局が、優先度のより高い特定の目標受信機であると判定される。
【００８９】
別の実施形態において、条件は、計算されている推定ＰＳＤ差のうちの少なくとも１つがＰＳＤ閾値よりも大きく、かつ／または、通信装置とそれぞれの基地局との間の距離の差のうちの少なくとも１つが距離差閾値よりも大きいことを含み、通信装置は、条件の判定に応答して基地局のそれぞれの優先度の決定を開始し、基地局の優先度は、基地局に送信されるデータのＱｏＳ関連優先度に応じて決定される。一実施形態において、ある基地局に送信されるデータの優先度が、基地局に送信されるものの中で最も高い場合、優先度の最も高いデータが受信されることになる基地局が、優先度の最も高い基地局であると判定される。図５Ｂに示すように、基地局に送信されるものの中で最も優先度が高いデータを送信される基地局が、特定の基地局であると判定される。
【００９０】
一実施形態において、電力閾値よりも高い電力を用いてデータが送信される基地局が、特定の基地局として選択され得る。計算されている推定ＰＳＤ差のうちの少なくとも１つがＰＳＤ閾値よりも大きく、かつ／または、通信装置とそれぞれの目標受信機との間の距離の差のうちの少なくとも１つが距離差閾値よりも大きい（例えば、必ずしも最大のものではない）場合、通信装置は、データを送信するために割り当てられる電力に従って基地局の優先度を決定する。例えば、図５Ｂに示すように、計算されている推定ＰＳＤ差のうちの少なくとも１つがＰＳＤ閾値よりも大きく、かつ／または、通信装置とそれぞれの目標受信機との間の距離の差のうちの少なくとも１つが距離差閾値よりも大きく、電力閾値よりも高い電力を用いてデータが基地局２に送信され、電力閾値よりも小さい電力を用いてデータが基地局１に送信される場合、電力閾値よりも高い電力を用いてデータが送信される基地局２が、優先度のより高い特定の基地局であると判定される。
【００９１】
特定の基地局が判定されると、少なくとも、特定の基地局に関係付けられる電力損失特徴に従って、データを送信するための電力が割り当てられる。一実施形態において、基地局に割り当てられることになる合計電力は、式（３−２）または（３−３）に従って計算することができ、図５に示す適用シナリオのように、基地局と通信装置との間の経路上の経路損失を示すパラメータＰＬ＿ｒｅｍｏｔｅおよびＰＬ＿ｅＮＢは同じである。合計電力は、上述したのと同様にデータを送信するために割り当てることができ、簡潔かつ明瞭にするために説明しない。
【００９２】
一実施形態において、通信装置は、中継ユーザ機器（ＵＥ）であってもよく、目標受信機は、少なくとも１つの遠隔ＵＥと少なくとも１つの基地局との組み合わせを含み、適用することができる電力制御方式は、上述したものと同様であり、簡潔かつ明瞭にするために説明しない。その場合、目標受信機に送信されるデータを送信するために割り当てられる合計電力は、式（３−１）〜（３−３）に従って決定することができ、この電力は、基地局に関係付けられる電力損失特徴によって計算される電力制限よりも低い。
【００９３】
別の実施形態において、通信装置は、通信装置（例えば、中継ＵＥ）が目標受信機にデータを送信するための電力を割り当てるための基地局であってもよく、目標受信機は、少なくとも１つの遠隔ＵＥおよび少なくとも１つの基地局を含む。その場合、適用することができる電力制御方式は、上述したものと同様であり、簡潔かつ明瞭にするために説明しない。また、データを送信するために割り当てられる合計電力は、式（３−１）〜（３−３）に従って決定することができ、この電力は、基地局に関係付けられる電力損失特徴によって計算される電力制限よりも低い。
【００９４】
図６は、本開示の一実施形態による、基地局が関与しないときの通信装置と目標受信機との間の通信のフローチャートを概略的に示す。一実施形態において、通信装置は中継ＵＥを含み、目標受信機は複数の遠隔ＵＥを含む。図６において特定のステップが開示されているが、そのようなステップは例である。すなわち、本開示は、様々な他のステップまたは図６に記載されているステップの変形形態を実施するのによく適している。
【００９５】
図６に示すように、通信装置１００は、データの送信先である複数の目標受信機と通信する。ステップＳＴ６０１において、通信装置１００が、ある接続手順において目標受信機と接続する。接続は、既知のまたは将来開発される方法を実施することによって確立されてもよく、その方法の詳細は本明細書では省略する。
【００９６】
ステップＳＴ６０２において、通信装置１００が、目標受信機への送信のためのリソースブロックを配分する。このステップは上述したものと同様であってもよく、その詳細は繰り返さない。
【００９７】
ステップＳＴ６０３において、通信装置１００が、目標受信機のそれぞれの優先度を決定する。このステップはステップ２２０において、図２Ａ〜図３Ｂを参照しながらステップ２１０を併用して説明したものと同様であってもよい。その詳細は、明瞭かつ簡潔にするために省略する。
【００９８】
ステップＳＴ６０４において、通信装置１００が、目標受信機にデータを送信するための電力を割り当てる。割り当てられることになる合計電力は式（３−１）に従って計算することができ、通信装置１００は、上述したのと同様にデータを送信するための電力を割り当て、その詳細は、明瞭かつ簡潔にするために省略する。
【００９９】
ステップＳＴ６０５において、通信装置１００が、割り当てられる電力を用いて目標受信機にデータを送信する。各配分されるリソースブロックについて割り当てられる電力は均等に維持されるため、各目標受信機のＰＳＤ差は排除することができ、これによって、目標受信機において一定の受信電力を保証しながら、通信装置の電力制御実施が効率的に改善される。
【０１００】
一実施形態において、ｅＮＢおよび／またはｇＮＢを含む基地局が、通信装置１００および目標受信機４００と通信するために含まれてもよい。その場合、通信装置１００は中継ＵＥを含み、目標受信機４００は複数の遠隔ＵＥを含む。
【０１０１】
図７は、本開示の一実施形態による、基地局が関与するときの通信装置と目標受信機との間の通信のフローチャートを概略的に示す。一実施形態において、通信装置１００は中継ＵＥを含み、目標受信機は複数の遠隔ＵＥを含む。図７において特定のステップが開示されているが、そのようなステップは例である。すなわち、本開示は、様々な他のステップまたは図７に記載されているステップの変形形態を実施するのによく適している。
【０１０２】
図７に示すように、通信装置１００は、データの送信先である複数の目標受信機と通信する。また、基地局３００は、通信装置１００および目標受信機４００と通信する。
【０１０３】
ステップＳＴ７０１において、基地局３００が、ある接続手順において通信装置１００および目標受信機４００と接続する。接続は、既知のまたは将来開発される方法を実施することによって確立されてもよく、その方法の詳細は本明細書では省略する。
【０１０４】
ステップＳＴ７０２において、通信装置１００が、ある接続手順において目標受信機４００と接続する。接続は、既知のまたは将来開発される方法を実施することによって確立されてもよく、その方法の詳細は本明細書では省略する。
【０１０５】
ステップＳＴ７０３において、基地局３００が、通信装置１００から目標受信機４００への送信のためのリソースブロックを配分する。このステップは上述したものと同様であってもよく、その詳細は繰り返さない。ステップＳＴ７０４において、基地局３００が、目標受信機のためのリソースブロックを配分する。
【０１０６】
ステップＳＴ７０５において、通信装置１００が、目標受信機のそれぞれの優先度を決定する。このステップはステップ２２０において、図２Ａ〜図３Ｂを参照しながらステップ２１０を併用して説明したものと同様であってもよい。その詳細は、明瞭かつ簡潔にするために省略する。
【０１０７】
ステップＳＴ７０６において、通信装置１００が、目標受信機にデータを送信するための電力を割り当てる。割り当てられることになる合計電力は式（３−１）〜（３−３）に従って計算することができ、通信装置１００は、上述したのと同様にデータを送信するための電力を割り当て、その詳細は、明瞭かつ簡潔にするために省略する。
【０１０８】
ステップＳＴ７０７において、通信装置１００が、目標受信機に割り当てられる電力を用いてデータを送信する。各配分されるリソースブロックについて割り当てられる電力は均等であるため、各目標受信機のＰＳＤ差は排除され、これによって、各目標受信機において一定の受信電力を保証しながら、通信装置１００がＲＦ実施態様の影響から保護される。
【０１０９】
一実施形態において、通信装置は基地局３００を含み、目標受信機４００は遠隔ＵＥおよび／または少なくとも１つの基地局のうちの少なくとも１つを含む。また、基地局から目標受信機へとデータを中継するために、中継ＵＥが使用される。
【０１１０】
図８は、本開示の別の実施形態による、基地局が関与するときの通信装置と目標受信機との間の通信のフローチャートを概略的に示す。
【０１１１】
図８と図７との間の差は、基地局が上述したような通信装置の機能を実施すること、すなわち、目標受信機の優先度を決定するステップ、および、データのための電力を割り当てるステップが基地局３００によって実施されることにある。
【０１１２】
より具体的には、ステップＳＴ８０１において、基地局３００が、ある接続手順において通信装置１００および目標受信機４００と接続する。接続は、既知のまたは将来開発される方法を実施することによって確立されてもよく、その方法の詳細は本明細書では省略する。
【０１１３】
ステップＳＴ８０２において、通信装置１００が、ある接続手順において目標受信機４００と接続する。接続は、既知のまたは将来開発される方法を実施することによって確立されてもよく、その方法の詳細は本明細書では省略する。
【０１１４】
ステップＳＴ８０３において、基地局３００が、通信装置１００の送信のためのリソースブロックを配分する。このスケジュール手順は、既知のまたは将来開発される方法を実施することによって実施されてもよく、その方法の詳細は本明細書では省略する。
【０１１５】
ステップＳＴ８０４において、基地局３００が、目標受信機のそれぞれの優先度を決定する。このステップはステップ２２０において、図２Ａ〜図３Ｂを参照しながらステップ２１０に関連して説明したものと同様であってもよい。その詳細は、明瞭かつ簡潔にするために省略する。
【０１１６】
ステップＳＴ８０５において、基地局３００が、目標受信機にデータを送信するための電力を割り当てる。割り当てられることになる合計電力は式（３−１）〜（３−３）に従って計算することができ、基地局３００は、上述したのと同様にデータを送信するための電力を割り当て、その詳細は、明瞭かつ簡潔にするために省略する。
【０１１７】
ステップＳＴ８０６において、基地局３００が、通信装置１００に、送信のための配分されているリソースブロックを示し、通信装置１００に、目標受信機に配分されているリソースブロック内のデータを送信するための電力割り当てを示す。
【０１１８】
また、ステップＳＴ８０７において、通信装置１００が、割り当てられている電力を用いてデータを送信する。
【０１１９】
図９は、本開示の一実施形態による、通信装置における通信方法の一例を概略的に示す。図９において特定のステップが開示されているが、そのようなステップは例である。すなわち、本開示は、様々な他のステップまたは図９に記載されているステップの変形形態を実施するのによく適している。
【０１２０】
一実施形態において、通信装置は、遠隔ＵＥ、基地局、またはそれらの組み合わせであってもよい。
【０１２１】
通信装置は、受信機および回路を含むことができる。
【０１２２】
ステップＳ９２０において、通信装置の受信機が、送信機からある電力を用いて送信されるデータを受信する。ステップＳ９４０において、通信装置の回路が、受信されているデータを復号し、通信装置は、送信機からのデータの送信先である複数の目標受信機のうちの１つであり、当該受信機のそれぞれの優先度は送信機によって決定され、電力は、少なくとも、優先度が最も高いまたは電力閾値よりも高い特定の目標受信機に関係付けられる電力損失特徴に従って割り当てられる。
【０１２３】
一実施形態において、通信方法は、それぞれの目標受信機へのデータの送信に関する電力スペクトル密度（ＰＳＤ）を推定すること、および、推定ＰＳＤ間のＰＳＤ差を推定することを含み、目標受信機のそれぞれの優先度は、計算されている推定ＰＳＤ差のうちの少なくとも１つがＰＳＤ閾値よりも大きいことに応答して決定される。
【０１２４】
１つの実施形態において、通信方法は、送信機とそれぞれの目標受信機との間の距離の差のうちの少なくとも１つが距離差閾値よりも大きいことに応答して目標受信機のそれぞれの優先度を決定することをさらに含む。
【０１２５】
一実施形態において、ＰＳＤ閾値または距離差閾値は、送信機の電力割り当て容量に基づいて構成または事前構成または定義される。
【０１２６】
一実施形態において、通信方法は、目標受信機の推定ＰＳＤに応じて目標受信機のそれぞれの優先度を決定することをさらに含む。
【０１２７】
一実施形態において、通信方法は、通信装置と送信機との間の距離に応じて複数の目標受信機のそれぞれの優先度を決定することをさらに含む。
【０１２８】
一実施形態において、通信方法は、通信装置と送信機との間の距離に応じて複数の目標受信機のそれぞれの優先度を決定することをさらに含む。
【０１２９】
一実施形態において、通信方法は、通信装置に送信されるデータのＱｏＳ関連優先度に応じて複数の目標受信機のそれぞれの優先度を決定することをさらに含む。
【０１３０】
一実施形態において、通信方法は、基地局に関係付けられる経路損失特徴によって計算される電力制限よりも低い、データを送信するための合計電力を割り当てることをさらに含む。
【０１３１】
一実施形態において、特定の目標受信機に関係付けられる電力損失特徴は、特定の目標受信機と送信機との間の経路上の電力消費を示す経路損失を含み、基地局に関係付けられる電力損失特徴は、送信機と基地局との間の経路上の電力消費を示す経路損失を含む。
【０１３２】
一実施形態において、通信方法は、サブフレームごとに、通信装置に送信されるデータにリソースブロックを配分することをさらに含む。
【０１３３】
一実施形態において、送信機は中継ユーザ機器（ＵＥ）であり、通信装置は、遠隔ＵＥおよび基地局の少なくともいくつかを含む。
【０１３４】
一実施形態において、送信機は、中継ＵＥが通信装置にデータを送信するための電力を割り当てるための基地局であり、通信装置は、遠隔ＵＥおよび基地局の少なくともいくつかを含む。
【０１３５】
図９に開示されているような通信方法は、上記の記述を参照して例示することができ、詳細は簡潔にするためにここでは省略する。
【０１３６】
図１０は、本開示の一実施形態による通信装置１０００の一例を概略的に示す。
【０１３７】
一実施形態において、通信装置１０００は、回路１０１０および送信機１０２０を含む。回路１０１０は、上述したようなステップ２１０、ステップ２２０、およびステップ２４０を実施することができる。送信機１０２０は、上述したようなステップ２６０を実施することができる。
【０１３８】
特に、回路１０１０は、データの送信先である複数の目標受信機のそれぞれの優先度を決定し、少なくとも、優先度が最も高いまたは電力閾値よりも高い特定の目標受信機に関係付けられる電力損失特徴に従って、データを送信するための電力を割り当てる。送信機１０２０は、割り当てられている電力を用いて、複数の目標受信機にデータを送信する。
【０１３９】
一実施形態において、通信装置１０００の回路１０１０はさらに、それぞれ目標受信機へのデータの送信に関する電力スペクトル密度（ＰＳＤ）を推定し、推定ＰＳＤ間のＰＳＤ差を計算し、回路１０１０は、計算されている推定ＰＳＤ差のうちの少なくとも１つがＰＳＤ閾値よりも大きいことに応答して、複数の目標受信機のそれぞれの優先度の決定を開始するように動作可能である。計算されている推定ＰＳＤ差のうちの少なくとも１つがＰＳＤ閾値よりも大きいか否かを判定するための詳細な手順は、図３Ａ〜図３Ｂを参照しながら説明されており、簡潔にするために詳細はここでは省略する。
【０１４０】
一実施形態において、回路１０１０は、距離差のうちの少なくとも１つが距離差閾値よりも大きいことに応答して目標受信機のそれぞれの優先度の決定を開始する。計算されている推定ＰＳＤ差のうちの少なくとも１つがＰＳＤ閾値よりも大きいか否かを判定するための詳細な手順は、図２Ａ〜図３Ｂを参照しながら説明されており、簡潔にするために詳細はここでは省略する。
【０１４１】
一実施形態において、ＰＳＤ閾値または距離差閾値は、通信装置の電力割り当て容量に基づいて構成または事前構成または定義される。
【０１４２】
一実施形態において、回路１０１０は、目標受信機の推定ＰＳＤに応じて目標受信機の優先度を決定する。一実施形態において、回路１０１０は、通信装置と目標受信機との間の距離に応じて目標受信機の優先度を決定する。一実施形態において、回路１０１０は、目標受信機に送信されるデータのＱｏＳ関連優先度に応じて目標受信機の優先度を決定する。詳細は図２Ａ〜図３Ｂを併用して説明されているため、簡潔にするために詳細はここでは省略する。
【０１４３】
一実施形態において、回路１０１０は、基地局に関係付けられる電力損失特徴によって計算される電力制限よりも低い、データを送信するための合計電力を割り当てる。合計電力は、上述したように式（３−１）〜（３−３）に従って計算することができる。
【０１４４】
一実施形態において、特定の目標受信機に関係付けられる電力損失特徴は、通信装置と、特定の目標受信機との間の経路上の電力消費を示す経路損失を含み、基地局に関係付けられる電力損失特徴は、基地局と通信装置との間の経路上の電力消費を示す経路損失を含む。
【０１４５】
一実施形態において、リソースブロックはサブフレームごとに目標受信機に配分される。
【０１４６】
一実施形態において、通信装置１０００は中継ユーザ機器（ＵＥ）であり、目標受信機は、遠隔ＵＥおよび基地局の少なくともいくつかである。
【０１４７】
別の実施形態において、通信装置１０００は、中継ＵＥが目標受信機にデータを送信するための電力を割り当てるための基地局であり、目標受信機は、遠隔ＵＥおよび基地局の少なくともいくつかである。
【０１４８】
図１１は、本開示の別の実施形態による通信装置１１００の一例を概略的に示す。
【０１４９】
図１１に示すように、通信装置１１００は、受信機１１１０および回路１１２０を含む。
【０１５０】
受信機１１１０は、送信機からある電力を用いて送信されるデータを受信する。回路１１２０は、受信されているデータを復号し、通信装置１１００は、送信機からのデータの送信先である複数の目標受信機のうちの１つであり、当該受信機のそれぞれの優先度は送信機によって決定され、電力は、少なくとも、優先度が最も高いまたは電力閾値よりも高い特定の目標受信機に関係付けられる電力損失特徴に従って割り当てられる。
【０１５１】
一実施形態において、それぞれの目標受信機へのデータの送信に関する電力スペクトル密度（ＰＳＤ）を推定され、推定ＰＳＤ間のＰＳＤ差が計算され、複数の目標受信機のそれぞれの優先度は、計算されている推定ＰＳＤ差のうちの少なくとも１つがＰＳＤ閾値よりも大きいことに応答して決定される。
【０１５２】
一実施形態において、複数の目標受信機のそれぞれの優先度は、送信機とそれぞれの目標受信機との間の距離の差のうちの少なくとも１つが距離差閾値よりも大きいことに応答して決定される。
【０１５３】
一実施形態において、ＰＳＤ閾値または距離差閾値は、送信機の電力割り当て容量に基づいて構成または事前構成または定義されてもよい。
【０１５４】
一実施形態において、目標受信機のそれぞれの優先度は、目標受信機の推定ＰＳＤに応じて決定される。
【０１５５】
一実施形態において、複数の目標受信機のそれぞれの優先度は、送信機と目標受信機との間の距離に応じて決定される。
【０１５６】
一実施形態において、複数の目標受信機のそれぞれの優先度は、目標受信機に送信されるデータのＱｏＳ関連優先度に応じて決定される。
【０１５７】
一実施形態において、データを送信するために割り当てられる合計電力は、基地局に関係付けられる電力損失特徴によって計算される電力制限よりも低い。
【０１５８】
一実施形態において、特定の目標受信機に関係付けられる電力損失特徴は、送信機と、特定の目標受信機との間の経路上の電力消費を示す経路損失を含み、基地局に関係付けられる電力損失特徴は、基地局と送信機との間の経路上の電力消費を示す経路損失を含む。
【０１５９】
一実施形態において、リソースブロックはサブフレームごとに目標受信機に配分される。
【０１６０】
一実施形態において、送信機は中継ユーザ機器（ＵＥ）であり、通信装置は、遠隔ＵＥおよび基地局の少なくともいくつかを含む。
【０１６１】
一実施形態において、送信機は、中継ＵＥが通信装置にデータを送信するための電力を割り当てるための基地局であり、通信装置は、遠隔ＵＥおよび基地局の少なくともいくつかを含む。
【０１６２】
有利には、各リソースブロックについて割り当てられる電力は均等であるため、各目標受信機のＰＳＤ差は排除され、これによって、各目標受信機において一定の受信電力を保証しながら、通信装置がＲＦ実施態様の影響から保護される。
【０１６３】
上記の説明は本開示の例示的な実施形態に関するものであり、限定のためのものではない。
【０１６４】
加えて、本開示の実施形態は、少なくとも以下の主題を提供することができる。
【０１６５】
（１）通信装置であって、
データの送信先である複数の目標受信機のそれぞれの優先度を決定し、少なくとも、優先度が最も高いまたは電力閾値よりも高い特定の目標受信機に関係付けられる電力損失特徴に従って、データを送信するための電力を割り当てるように動作可能な決定回路と、
割り当てられている電力を用いて、複数の目標受信機にデータを送信するように動作可能な送信機と
を備える、通信装置。
【０１６６】
（２）上記回路は、それぞれの目標受信機へのデータの送信に関する電力スペクトル密度（ＰＳＤ）を推定し、推定ＰＳＤ間の推定ＰＳＤ差を計算するように動作可能であり、
上記回路は、計算されている推定ＰＳＤ差のうちの少なくとも１つがＰＳＤ閾値よりも大きいことに応答して複数の目標受信機のそれぞれの優先度の決定を開始するように動作可能である、請求項（１）に記載の通信装置。
【０１６７】
（３）上記回路は、通信装置とそれぞれの目標受信機との間の距離の差のうちの少なくとも１つが距離差閾値よりも大きいことに応答して複数の目標受信機のそれぞれの優先度の決定を開始するように動作可能である、請求項（１）に記載の通信装置。
【０１６８】
（４）ＰＳＤ閾値または距離差閾値は、通信装置の電力割り当て容量に基づいて構成または事前構成または定義される、請求項（２）または（３）に記載の通信装置。
【０１６９】
（５）上記回路が、
目標受信機の推定ＰＳＤに応じて目標受信機の優先度を決定するように動作可能である、請求項（２）に記載の通信装置。
【０１７０】
（６）上記回路は、
通信装置と目標受信機との間の距離に応じて目標受信機の優先度を決定するように動作可能である、請求項（３）に記載の通信装置。
（７）上記回路は、
目標受信機に送信されるデータのＱｏＳ関連優先度に応じて目標受信機の優先度を決定するように動作可能である、請求項（１）に記載の通信装置。
【０１７１】
（８）上記回路は、基地局に関係付けられる電力損失特徴によって計算される電力制限よりも低い、データを送信するための合計電力を割り当てるように動作可能である、請求項（１）に記載の通信装置。
【０１７２】
（９）特定の目標受信機に関係付けられる電力損失特徴は、通信装置と、特定の目標受信機との間の経路上の電力消費を示す経路損失を含み、基地局に関係付けられる電力損失特徴は、基地局と通信装置との間の経路上の電力消費を示す経路損失を含む、請求項（８）に記載の通信装置。
【０１７３】
（１０）リソースブロックは、サブフレームごとに、目標受信機に送信されるデータに配分される、請求項（１）に記載の通信装置。
【０１７４】
（１１）通信装置は中継ユーザ機器（ＵＥ）であり、目標受信機は、遠隔ＵＥおよび基地局の少なくともいくつかである、請求項（１）に記載の通信装置。
【０１７５】
（１２）通信装置は、中継ＵＥが目標受信機にリソースブロックを送信するための電力を割り当てるための基地局であり、目標受信機は、遠隔ＵＥおよび基地局の少なくともいくつかである、請求項（１）に記載の通信装置。
【０１７６】
（１３）通信装置における電力制御方法であって、
データの送信先である複数の標的受信機のそれぞれの優先度を決定するステップと、
少なくとも、優先度が最も高いまたは電力閾値よりも高い特定の目標受信機に関係付けられる電力損失特徴に従って、データを送信するための電力を割り当てるステップと、
割り当てられている電力を用いて、複数の目標受信機にデータを送信するステップと
を含む、方法。
【０１７７】
（１４）前記方法は、
それぞれの目標受信機へのデータの送信に関する電力スペクトル密度（ＰＳＤ）を推定するステップと、
推定ＰＳＤ間のＰＳＤ差を推定するステップと
をさらに含み、
複数の目標受信機のそれぞれの優先度を決定するステップは、計算されている推定ＰＳＤ差のうちの少なくとも１つがＰＳＤ閾値よりも大きいことに応答して開始される、請求項（１３）に記載の方法。
【０１７８】
（１５）複数の目標受信機のそれぞれの優先度を決定するステップは、通信装置とそれぞれの目標受信機との間の距離の差のうちの少なくとも１つが距離差閾値よりも大きいことに応答して開始される、請求項（１３）に記載の方法。
【０１７９】
（１６）ＰＳＤ閾値または距離差閾値は、通信装置の電力割り当て容量に基づいて構成または事前構成または定義される、請求項（１３）または（１４）に記載の方法。
【０１８０】
（１７）複数の目標受信機のそれぞれの優先度を決定するステップは、
目標受信機の推定ＰＳＤに応じて目標受信機の優先度を決定するステップを含む、請求項（１４）に記載の方法。
【０１８１】
（１８）複数の目標受信機のそれぞれの優先度を決定するステップは、
通信装置と目標受信機との間の距離に応じて目標受信機の優先度を決定するステップを含む、請求項（１５）に記載の方法。
【０１８２】
（１９）複数の目標受信機のそれぞれの優先度を決定するステップは、
目標受信機に送信されるデータのＱｏＳ関連優先度に応じて目標受信機の優先度を決定するステップを含む、請求項（１３）に記載の方法。
【０１８３】
（２０）基地局に関係付けられる電力損失特徴によって計算される電力制限よりも低い、データを送信するための合計電力を割り当てるステップをさらに含む、請求項（１３）に記載の方法。
【０１８４】
（２１）特定の目標受信機に関係付けられる電力損失特徴は、通信装置と、特定の目標受信機との間の経路上の電力消費を示す経路損失を含み、基地局に関係付けられる電力損失特徴は、基地局と通信装置との間の経路上の電力消費を示す経路損失を含む、請求項（２０）に記載の方法。
【０１８５】
（２２）サブフレームごとに目標受信機に送信されるデータにリソースブロックを配分するステップをさらに含む、請求項（１３）に記載の方法。
【０１８６】
（２３）通信装置は中継ユーザ機器（ＵＥ）であり、目標受信機は、遠隔ＵＥおよび基地局の少なくともいくつかである、請求項（１３）に記載の方法。
【０１８７】
（２４）通信装置は、中継ＵＥが目標受信機にリソースブロックを送信するための電力を割り当てるための基地局であり、目標受信機は、遠隔ＵＥおよび基地局の少なくともいくつかである、請求項（１３）に記載の方法。
【０１８８】
（２５）通信装置であって、
送信機からある電力を用いて送信されるデータを受信するように動作可能な受信機と、
受信データを復号するように動作可能な回路と
を備え、
通信装置は、送信機からのデータの送信先である複数の目標受信機のうちの１つであり、当該受信機のそれぞれの優先度は送信機によって決定され、電力は、少なくとも、優先度が最も高いまたは電力閾値よりも高い特定の目標受信機に関係付けられる電力損失特徴に従って割り当てられる、通信装置。
【０１８９】
（２６）それぞれの目標受信機へのデータの送信に関する電力スペクトル密度（ＰＳＤ）が推定され、推定ＰＳＤ間の推定ＰＳＤ差が計算され、
複数の目標受信機のそれぞれの優先度は、計算されている推定ＰＳＤ差のうちの少なくとも１つがＰＳＤ閾値よりも大きいことに応答して決定される、請求項（２５）に記載の通信システム。
【０１９０】
（２７）複数の目標受信機のそれぞれの優先度は、送信機とそれぞれの目標受信機との間の距離の差のうちの少なくとも１つが距離差閾値よりも大きいことに応答して決定される、請求項（２５）に記載の通信システム。
【０１９１】
（２８）ＰＳＤ閾値または距離差閾値は、送信機の電力割り当て容量に基づいて構成または事前構成または定義される、請求項（２６）または（２７）に記載の通信システム。
【０１９２】
（２９）複数の目標受信機のそれぞれの優先度は、目標受信機の推定ＰＳＤに応じて決定される、請求項（２６）に記載の通信システム。
【０１９３】
（３０）複数の目標受信機のそれぞれの優先度は、送信機と目標受信機との間の距離に応じて決定される、請求項（２７）に記載の通信システム。
【０１９４】
（３１）複数の目標受信機のそれぞれの優先度は、目標受信機に送信されるデータのＱｏＳ関連優先度に応じて決定される、請求項（２５）に記載の通信システム。
【０１９５】
（３２）データを送信するために割り当てられる合計電力は、基地局に関係付けられる電力損失特徴によって計算される電力制限よりも低い、請求項（２５）に記載の通信装置。
【０１９６】
（３３）特定の目標受信機に関係付けられる電力損失特徴は、特定の目標受信機と送信機との間の経路上の電力消費を示す経路損失を含み、基地局に関係付けられる電力損失特徴は、基地局と送信機との間の経路上の電力消費を示す経路損失を含む、請求項（３２）に記載の通信装置。
【０１９７】
（３４）リソースブロックは、サブフレームごとに、通信装置に送信されるデータに配分される、請求項（２５）に記載の通信システム。
【０１９８】
（３５）送信機は中継ユーザ機器（ＵＥ）であり、通信装置は、遠隔ＵＥおよび基地局の少なくともいくつかを含む、請求項（２５）に記載の通信システム。
【０１９９】
（３６）送信機は、中継ＵＥが通信装置にデータを送信するための電力を割り当てるための基地局であり、通信装置は、遠隔ＵＥおよび基地局の少なくともいくつかを含む、請求項（２５）に記載の通信装置。
【０２００】
（３７）通信装置における通信方法であって、
送信機からある電力を用いて送信されるデータを受信するステップと、
受信データを復号するステップと
を含み、
通信装置は、送信機からのデータの送信先である複数の目標受信機のうちの１つであり、当該受信機のそれぞれの優先度は送信機によって決定され、電力は、少なくとも、優先度が最も高いまたは電力閾値よりも高い特定の目標受信機に関係付けられる電力損失特徴に従って割り当てられる、通信方法。
【０２０１】
（３８）それぞれの目標受信機へのデータの送信に関する電力スペクトル密度（ＰＳＤ）を推定するステップと、
推定ＰＳＤ間のＰＳＤ差を推定するステップと、
計算されている推定ＰＳＤ差のうちの少なくとも１つがＰＳＤ閾値よりも大きいことに応答して、複数の目標受信機のそれぞれの優先度を決定するステップと
をさらに含む、請求項（３７）に記載の通信方法。
【０２０２】
（３９）送信機とそれぞれの目標受信機との間の距離の差のうちの少なくとも１つが距離差閾値よりも大きいことに応答して、複数の目標受信機のそれぞれの優先度を決定するステップをさらに含む、請求項（３７）に記載の通信方法。
【０２０３】
（４０）ＰＳＤ閾値または距離差閾値は、送信機の電力割り当て容量に基づいて構成または事前構成または定義される、請求項（３７）または（３８）に記載の通信方法。
【０２０４】
（４１）目標受信機の推定ＰＳＤに応じて複数の目標受信機のそれぞれの優先度を決定するステップをさらに含む、請求項（３８）に記載の通信方法。
【０２０５】
（４２）通信装置と送信機との間の距離に応じて複数の目標受信機のそれぞれの優先度を決定するステップをさらに含む、請求項（３９）に記載の通信方法。
【０２０６】
（４３）通信装置に送信されるデータのＱｏＳ関連優先度に応じて複数の目標受信機のそれぞれの優先度を決定するステップをさらに含む、請求項（３７）に記載の通信方法。
【０２０７】
（４４）基地局に関係付けられる電力損失特徴によって計算される電力制限よりも低い、データを送信するための合計電力を割り当てるステップをさらに含む、請求項（３７）に記載の通信方法。
【０２０８】
（４５）電力損失特徴は、特定の目標受信機と送信機との間の経路上の電力消費を示す経路損失を含み、基地局に関係付けられる電力損失特徴は、送信機と基地局との間の経路上の電力消費を示す経路損失を含む、請求項（４４）に記載の通信方法。
【０２０９】
（４６）サブフレームごとに、通信装置に送信されるデータにリソースブロックを配分するステップをさらに含む、請求項（３７）に記載の通信方法。
【０２１０】
（４７）送信機は中継ユーザ機器（ＵＥ）であり、通信装置は、遠隔ＵＥおよび基地局の少なくともいくつかを含む、請求項（３７）に記載の通信方法。
【０２１１】
（４８）送信機は、中継ＵＥが通信装置にデータを送信するための電力を割り当てるための基地局であり、通信装置は、遠隔ＵＥおよび基地局の少なくともいくつかを含む、請求項（３７）に記載の通信方法。
【０２１２】
本開示は、ソフトウェア、ハードウェア、またはハードウェアと協働するソフトウェアによって実現することができる。上述した各実施形態の記述において使用されている各機能ブロックは、部分的にまたは全体的に、ＬＳＩによって集積回路として実現することができ、各実施形態において記述されている各プロセスは、部分的にまたは全体的に、同じＬＳＩまたは複数のＬＳＩの組み合わせによって制御することができる。ＬＳＩは、チップとして個々に形成されてもよく、または、１つのチップが、それら機能ブロックの一部分またはすべてを含むように形成されてもよい。ＬＳＩは、それらに結合されているデータ入力および出力を含むことができる。本明細書において、ＬＳＩは、集積度の差に応じて、ＩＣ、システムＬＳＩ、スーパーＬＳＩ、またはウルトラＬＳＩとして参照されてもよい。しかしながら、集積回路を実装する技法は、ＬＳＩに限定されず、専用回路、汎用プロセッサ、または専用プロセッサを使用することによって実現されてもよい。加えて、ＬＳＩの製造後にプログラムすることができるＦＰＧＡ（フィールドプログラマブルゲートアレイ）、または、ＬＳＩの内部に配置される回路セルの接続および設定を再構成することができる再構成可能プロセッサが使用されてもよい。本開示は、デジタル処理またはアナログ処理として実現することができる。半導体技術または派生する他の技術の進歩の結果として、将来の集積回路技術がＬＳＩに取って代わった場合、機能ブロックは、その将来の集積回路技術を使用して集積することができる。生命工学を適用することもできる。
【０２１３】
本開示のいくつかの実施形態の例が、特定の実施形態の添付の図解を参照して、上記で詳細に記述されている。無論、構成要素または技法のすべての考えられる組み合わせを記述するのは可能ではないが、当業者は、本開示の範囲から逸脱することなく、上述した実施形態に様々な改変を行うことができることを理解するであろう。例えば、上記の実施形態は第三世代パートナーシッププロジェクト（３ＧＰＰ）ネットワークの部分を参照して記述されているが、本開示の実施形態は、同様の機能構成要素の有する、３ＧＰＰネットワークの後継のような、同様のネットワークにも適用可能であることは容易に理解されよう。
【０２１４】
それゆえ、特に、３ＧＰＰという用語、および、上記の説明ならびに添付の図面および任意の添付の特許請求項において使用されている、関連付けられたまたは関係する用語は、現在または将来において、それに応じて解釈されるべきである。
【０２１５】
本開示は、ソフトウェア、ハードウェア、またはハードウェアと協働するソフトウェアによって実現することができる。上述した各実施形態の記述において使用されている各機能ブロックは、ＬＳＩによって集積回路として実現することができ、各実施形態において記述されている各プロセスは、ＬＳＩによって制御することができる。それらは、チップとして個々に形成されてもよく、または、１つのチップが、それら機能ブロックの一部分またはすべてを含むように形成されてもよい。それらは、それらに結合されているデータ入力および出力を含むことができる。本明細書において、ＬＳＩは、集積度の差に応じて、ＩＣ、システムＬＳＩ、スーパーＬＳＩ、またはウルトラＬＳＩとして参照されてもよい。しかしながら、集積回路を実装する技法は、ＬＳＩに限定されず、専用回路または汎用プロセッサを使用することによって実現されてもよい。加えて、ＬＳＩの製造後にプログラムすることができるＦＰＧＡ（フィールドプログラマブルゲートアレイ）、または、ＬＳＩの内部に配置される回路セルの接続および設定を再構成することができる再構成可能プロセッサが使用されてもよい。
【０２１６】
特に、本開示の修正形態および他の実施形態が、上記の記載および関連付けられる図面において提示されている教示の利益を有する当業者に想起されよう。それゆえ、本開示は、開示されている具体的な実施形態に限定されるべきではないこと、および、修正形態および他の実施形態が、本開示の範囲内に含まれることが意図されていることは理解されたい。本明細書において具体的な用語が利用され得るが、それらは包括的かつ説明的な意味においてのみ使用されており、限定を目的とするものではない。
【図１Ａ】
2020526949.tif 000003
【図１Ｂ】
2020526949.tif 000004
【図１Ｃ】
2020526949.tif 000005
【図２Ａ】
2020526949.tif 000006
【図２Ｂ】
2020526949.tif 000007
【図３Ａ】
2020526949.tif 000008
【図３Ｂ】
2020526949.tif 000009
【図４】
2020526949.tif 000010
【図５Ａ】
2020526949.tif 000011
【図５Ｂ】
2020526949.tif 000012
【図６】
2020526949.tif 000013
【図７】
2020526949.tif 000014
【図８】
2020526949.tif 000015
【図９】
2020526949.tif 000016
【図１０】
2020526949.tif 000017
【図１１】
2020526949.tif 000018
【国際調査報告】
2020526949.tif 000019
2020526949.tif 000020